(57)【要約】【課題】  組立工程数が少なく作業性がよいとともに製造コストが低く、安全性が高い、照明器具のカバーユニットを提供する。【解決手段】  カバーユニット２０は、カバー部材２１及び装飾部材２２〜２４を備えている。カバー部材２１は、円筒形で、外面に垂直方向の複数の段部２６〜２９を有し、ランプ１１の周囲に配置されている。装飾部材２２〜２４は、平板状に形成され、カバー部材２１を挿通させる孔３０〜３２を有している。複数の段部２６〜２９のうち下方に設けられた段部ほど水平方向の幅が大きく形成されている。装飾部材２２〜２４は、段部２６〜２９の境界部３３〜３５に支持されている。【選択図】  図３
2006173008.tif 000002
【特許請求の範囲】
【請求項１】
外面に垂直方向の複数の段部を有する筒状を呈しランプの周囲に配置されるカバー部材と、
前記カバー部材を挿通させる孔を有する平板状の単一又は複数の装飾部材と、を備え、
前記複数の段部のうち下方に設けられた段部ほど水平方向の幅が大きく形成され、
前記装飾部材は、前記段部の境界部に支持されることを特徴とする照明器具のカバーユニット。
【請求項２】
前記装飾部材は、透光性を有する材料で形成されていることを特徴とする請求項１に記載のカバーユニット。
【請求項３】
円筒状を呈しランプの周囲に配置されるカバー部材と、
前記カバー部材を挿通させる孔を有する平板状の単一又は複数の装飾部材と、を備え、
前記カバー部材の外周面と前記装飾部材の前記孔の内周面とのそれぞれに、突起と、前記突起と嵌合する溝と、が設けられ、
前記溝は、軸方向に貫通する縦溝と、前記縦溝と連通し周方向に設けられた単数又は複数の横溝と、を含むことを特徴とする照明器具のカバーユニット。
【発明の詳細な説明】
【技術分野】
【０００１】
この発明は、装飾性が高い照明器具のカバーユニットに関する。
【背景技術】
【０００２】
照明器具は、ランプと、ランプの周囲に配置されるカバーユニットと、を備えている。近年、カバーユニットの多様化が進み、カバー部材に装飾部材が取り付けられる場合がある。従来のカバーユニットでは、カバーユニットの各部材同士が、ネジ留めされ（例えば、特許文献１参照。）、又は、接着剤によって接着されている。
【０００３】
図８は、従来のカバーユニット１の構成を示している。従来のカバーユニット１は、平板状の装飾部材２，３，４と、各装飾部材２，３，４の間に配置される環状の連結部材５，６と、を備えている。装飾部材２，３，４はそれぞれ、円形の孔７を有し、孔７内にランプが配置される。カバーユニット１では、各装飾部材２〜４の間に各装飾部材２〜４間の間隔を保持するスペーサ９が配置され、ネジ８ａが装飾部材２〜４及びスペーサ９を貫通し、ナット８ｂが締め付けられることで、３個の装飾部材２〜４及び連結部材５，６が互いに固定されている。
【０００４】
図９は、従来の他のカバーユニット１ａの構成を示している。カバーユニット１ａは、正方形の平板状の装飾部材２ａ，３ａ，４ａと、円筒形のカバー部材５ａと、を備えている。各装飾部材２ａ〜４ａは、円形の孔６ａを有し、孔６ａ内にカバー部材５ａが挿通される。ランプは、カバー部材５ａの孔７ａ内に配置される。そして、装飾部材２ａ〜４ａは、互いに所定の間隔をあけた状態で、接着剤によってカバー部材５ａに接着されている。
【特許文献１】特開平１０−７４４１５号公報
【発明の開示】
【発明が解決しようとする課題】
【０００５】
しかし、カバーユニット１の各部材２〜６が互いにネジ留めされた場合、カバーユニット１の部品点数が増えるので、材料コストが高くなるとともに、組立工程数が増加して作業性が悪くなる。
【０００６】
また、カバーユニット１ａの各部材２ａ〜５ａが互いに接着剤によって接着された場合、機械的又は構造的に固定されていないので、経年劣化によって装飾部材２ａ〜４ａが落下する虞があり、安全上好ましくない。また、組立工程中に接着剤がはみ出す場合があり、汚れによる不良品発生率が高くなって製造コストが高騰する。さらに、カバーユニット１ａの補修時、カバーユニット１ａが接着剤によって一体になっているので、カバーユニット１ａの全てを交換しなければならなくなり、補修費用が割高になる。
【０００７】
この発明の目的は、組立工程数が少なく作業性がよいとともに製造コストが低く、安全性が高い、照明器具のカバーユニットを提供することにある。
【課題を解決するための手段】
【０００８】
この発明の照明器具のカバーユニットは、上述の課題を解決するために以下のように構成される。
【０００９】
（１）外面に垂直方向の複数の段部を有する筒状を呈しランプの周囲に配置されるカバー部材と、前記カバー部材を挿通させる孔を有する平板状の単一又は複数の装飾部材と、を備え、前記複数の段部のうち下方に設けられた段部ほど水平方向の幅が大きく形成され、前記装飾部材は、前記段部の境界部に支持されることを特徴とする。
【００１０】
この構成においては、筒状のカバー部材は、外面に複数の段部を有する。また、平板状の装飾部材は、カバー部材を挿通させる孔を有する。そして、装飾部材の孔内にカバー部材が挿通され、段部の境界部に装飾部材が支持される。複数の段部のうち下方に設けられた段部ほど水平方向の幅が大きく形成されるので、段部の境界部に装飾部材が支持された場合、装飾部材は構造的に下方に規制され、落下が防止される。
【００１１】
（２）前記装飾部材は、透光性を有する材料で形成されていることを特徴とする。
【００１２】
この構成においては、装飾部材が透光性を有する。装飾部材が透光性を有し、互いにネジ留めされた場合は、外部からネジが透けて見えるので、見栄えが悪くなる。また、装飾部材が透光性を有し、カバー部材に接着剤で接着された場合は、接着剤及びその気泡が外部から透けて見えるので、やはり見栄えが悪くなり、商品価値が低下する。この発明では、ネジ及び接着剤を用いることなくカバー部材を組み立てることができるので、装飾部材が透光性を有する場合でも、見栄えが悪くなることがない。
【００１３】
（３）円筒状を呈しランプの周囲に配置されるカバー部材と、前記カバー部材を挿通させる孔を有する平板状の単一又は複数の装飾部材と、を備え、前記カバー部材の外周面と前記装飾部材の前記孔の内周面とのそれぞれに、突起と、前記突起と嵌合する溝と、が設けられ、前記溝は、軸方向に貫通する縦溝と、前記縦溝と連通し周方向に設けられた単数又は複数の横溝と、を含むことを特徴とする。
【００１４】
この構成においては、装飾部材の孔内にカバー部材が挿通され、突起が縦溝に嵌合する。そして、突起と横溝とが嵌合する位置で、装飾部材をカバー部材に対して周方向に回転させると、突起が横溝に軸方向に規制され、装飾部材がカバー部材に装着される。
【発明の効果】
【００１５】
この発明によれば、以下の効果を奏することができる。
【００１６】
（１）装飾部材の孔にカバー部材を挿通させ段部の境界部に装飾部材を支持させるのみで組み立てることができ、組立工程数が少なく作業性がよい。また、部品点数が少ないとともに不良品発生率が低いので、製造コストを低下させることができる。さらに、装飾部材を構造的に支持して落下を防止しているので安全性が高い。
【００１７】
（２）装飾部材が透光性を有する場合でも、見栄えがよく、商品価値を向上させることができる。
【００１８】
（３）突起と溝とを嵌合させることで、装飾部材とカバー部材とを組み立てることができ、組立工程数が少なく作業性がよい。また、部品点数が少ないとともに不良品発生率が低いので、製造コストを低下させることができる。さらに、装飾部材を構造的に支持して落下を防止しているので安全性が高い。
【発明を実施するための最良の形態】
【００１９】
以下に、この発明の実施形態について図面に基づいて説明する。図１は、この発明の実施形態に係るカバーユニット２０を備えた照明器具１０の外観の構成を示す斜視図であり、図２は、照明器具１０の構成を示す分解斜視図であり、図３は、照明器具１０の正面の半断面図である。照明器具１０は、カバーユニット２０の他に、ランプ１１、器具本体１２、複数（この実施形態では３個）のシャフト１３、及び、セード１４を備えている。
【００２０】
ランプ１１は、器具本体１２に取り付けられている。器具本体１２は、セード１４の内部に配置されている。セード１４は、円筒形に形成されており、周面の上部に、等間隔に配置された複数（この実施形態では３個）の貫通孔１５を有している。貫通孔１５にはそれぞれシャフト１３が挿通されている。シャフト１３の一端は、器具本体１２の上部にねじ込まれている。器具本体１２から放射状にシャフト１３が延び、各シャフト１３がセード１４の貫通孔１５に挿通されることで、器具本体１２がセード１４内の略中心に固定されている。
【００２１】
セード１４の周囲に、カバーユニット２０が配置されている。カバーユニット２０は、カバー部材２１、及び、３個の装飾部材２２，２３，２４を備えている。カバー部材２１及び装飾部材２２〜２４はそれぞれ、透光性を有する樹脂で形成されている。カバー部材２１は、略円筒形に形成されている。カバー部材２１の上部２１であってセード１４の貫通孔１５と対応する位置に、貫通孔２５が設けられている。貫通孔２５にそれぞれ、シャフト１３の他端が配置され、これによって、カバー部材２１は、器具本体１２に対してセード１４と所定間隔をあけた位置に固定されている。
【００２２】
図４は、カバー部材２１の正面の半断面図である。カバー部材２１は、外面に垂直方向の複数（この実施形態では４個）の段部２６，２７，２８，２９を有している。複数の段部２６〜２９のうち下方に設けられた段部ほど水平方向の幅が大きく形成されている。すなわち、各段部２６〜２９の水平方向の幅をそれぞれＤ１，Ｄ２，Ｄ３，Ｄ４とした場合、Ｄ１＜Ｄ２＜Ｄ３＜Ｄ４となるように、各段部２６〜２９が形成されている。
【００２３】
図５は、装飾部材２２〜２４の正面の半断面図である。各装飾部材２２〜２４は、正方形の平板状に形成され、カバー部材２１を挿通させる孔３０，３１，３２を有する。孔３０〜３２の水平断面は、カバー部材２１の外面の水平断面の相似形に形成されている。この実施形態では孔３０〜３２の水平断面は、円形に形成されている。
【００２４】
ここで、孔３０〜３２のそれぞれの水平方向の幅（直径）をＥ１，Ｅ２，Ｅ３とし、装飾部材２２〜２４の高さをそれぞれＴ１，Ｔ２，Ｔ３とする。また、図４に示すように、カバー部材２１の各段部２６〜２８の高さをＨ１，Ｈ２，Ｈ３とする。各部の寸法を上述のように表した場合、カバーユニット２０は、次の各式が成立するように形成されている。
【００２５】
Ｄ１＜Ｅ１＜Ｄ２,Ｄ２＜Ｅ２＜Ｄ３,Ｄ３＜Ｅ３＜Ｄ４・・・（式１）
Ｔ１＝Ｔ２＝Ｔ３・・・・・・・・・・・・・・・・・・・・（式２）
Ｈ１＝Ｔ１,Ｈ２＞Ｔ２,Ｈ３＞Ｔ３・・・・・・・・・・・・（式３）
（式１）に示したように、装飾部材２２の孔３０の直径Ｅ１は、段部２６の幅Ｄ１より大きく、段部２７の幅Ｄ２より小さく形成されている。また、装飾部材２３の孔３１の直径Ｅ２は、段部２７の幅Ｄ２より大きく、段部２８の幅Ｄ３より小さく形成されている。さらに、装飾部材２４の孔３２の直径Ｅ３は、段部２８の幅Ｄ３より大きく、段部２９の幅Ｄ４より小さく形成されている。
【００２６】
また、（式２）に示したように、各装飾部材２２〜２４の高さＴ１〜Ｔ３は、略同寸法に形成されている。
【００２７】
さらに、（式３）に示したように、カバー部材２１の段部２６の高さＨ１は、装飾部材２２の高さＴ１と同寸法に形成され、段部２７の高さＨ２は装飾部材２３の高さＴ２より大きく形成され、段部２８の高さＨ３は装飾部材２４の高さＴ３より大きく形成されている。
【００２８】
つぎに、カバーユニット２０の組立工程について説明する。カバーユニット２０を組み立てるためには、カバー部材２１に対して、上方から、装飾部材２４、装飾部材２３、装飾部材２２を、この順に通していく。すると、装飾部材２４は、段部２８と段部２９との境界部３５で支持され、装飾部材２３は、段部２７と段部２８との境界部３４で支持され、装飾部材２２は、段部２６と段部２７との境界部３３で支持される。その結果、図３に示すように、各装飾部材２２〜２４の間にそれぞれ、寸法Ｓ１，Ｓ２の間隔があけられる。上述のようにして、図１に示すような照明器具１０のカバーユニット２０が組み立てられる。
【００２９】
カバーユニット２０によれば、装飾部材２２〜２４の孔３０〜３２にカバー部材２１を挿通させ、段部２６〜２９の境界部３３〜３５に装飾部材２２〜２４を支持させるのみでカバーユニット２０を組み立てることができる。したがって、ネジ締め、接着剤の塗布等の工程が不要で組立工程数が少なく、作業性がよい。
【００３０】
また、ネジ等が不要で部品点数が少ないとともに、接着剤を使用しないので不良品発生率が低い。したがって、製造コストを低下させることができる。
【００３１】
さらに、装飾部材２２〜２４を構造的に支持することで落下を防止しているので、単に接着剤で接着している場合より安全性が高い。
【００３２】
また、装飾部材２２〜２４は透光性を有しているが、ネジや接着剤を使用していないので見栄えがよく、商品価値を向上させることができる。
【００３３】
さらに、図６に示すように、装飾部材２２〜２４は、境界部３３〜３５に下方から支持されているのみなので、装飾部材２２〜２４の配置を自由に設定することができ、カバーユニット２０のデザインを容易に変更することができる。また、必ずしも装飾部材２２〜２４を境界部３３〜３５と同数だけ配置する必要はなく、装飾部材２２〜２４を境界部３３〜３５より少数配置することもできる。
【００３４】
また、カバー部材２１又は装飾部材２２〜２４が破損又は汚損等した場合、カバー部材２１及び装飾部材２２〜２４の各部材同士が固定されていないので、破損等した部材のみを容易に交換することができる。したがって、補修費用が割安になる。
【００３５】
なお、装飾部材２２〜２４は、３個設けられることに限定されず、単一又は複数個設けられる。
【００３６】
また、カバー部材２１は、円筒形であることに限定されず、筒状であればよく、カバー部材２１の水平断面の形状は、四角形、その他の多角形、又は任意の曲線形状であってもよい。ここで、上述のように、装飾部材２２〜２４の孔３０〜３２の水平断面は、カバー部材２１の水平断面の相似形に形成される。
【００３７】
さらに、カバー部材２１及び装飾部材２２〜２４はそれぞれ、樹脂で形成されていることに限定されず、透明ガラスで形成されてもよい。また、カバー部材２１及び装飾部材２２〜２４は、透光性を有する材料で形成されていることに限定されず、透光性を有しない材料で形成された場合も、部品点数が減少し、作業性の向上及び製造コストの低下等の効果を得ることができる。
【００３８】
また、各装飾部材２２〜２４の高さＴ１〜Ｔ３はそれぞれ異なる寸法に形成されてもよい。さらに、カバー部材２１の段部２６の高さＨ１は、装飾部材２２の高さＴ１と異なる寸法に形成されてもよい。
【００３９】
図７は、他の実施形態に係るカバーユニット２０ａを構成する各部材を示す正面図であり、（ａ）は装飾部材２２ａを示し、（ｂ）はカバー部材２１ａを示す。この実施形態に係るカバーユニット２０ａは、ランプの周囲に配置されるカバー部材２１ａと、３個の装飾部材２２ａと、を備えている。
【００４０】
装飾部材２２ａは、正方形の平板状に形成され、カバー部材２１ａを挿通させる円形の孔３０ａを有する。装飾部材２２ａは、孔３０ａの内周面に、所定の寸法の突起４１を有している。
【００４１】
カバー部材２１ａは、円筒状に形成され、外周面に、突起４１と嵌合する溝４２を有する。溝４２は、縦溝４３と、縦溝４３に連通する３個の横溝４４ａ，４４ｂ，４４ｃと、各横溝４４ａ，４４ｂ，４４ｃに連通する係止溝４５ａ，４５ｂ，４５ｃと、を含む。縦溝４３は、カバー部材２１ａの軸方向に貫通している。横溝４４ａ，４４ｂ，４４ｃは、それぞれ縦溝４３と連通し、縦溝４３の適宜の位置から周方向に所定寸法設けられている。係止溝４５ａ，４５ｂ，４５ｃは、横溝４４ａ，４４ｂ，４４ｃのうち縦溝４３と連通する端部と反対側の端部に連通しており、横溝４４ａ，４４ｂ，４４ｃから下方に所定寸法設けられている。
【００４２】
ここで、突起４１は図７（ａ）において１個のみ記載されているが、孔３０ａの中心軸を挟んで対向する位置にそれぞれ１個ずつ設けられている。同様に、溝４２は、図７（ｂ）において１個のみ記載されているが、カバー部材２１ａの中心軸を挟んで対向する位置にそれぞれ１個ずつ、突起４１に対応するように設けられている。したがって、装飾部材２２ａはカバー部材２１ａに安定的に支持される。
【００４３】
上述のように構成されたカバーユニット２０ａは、装飾部材２２ａの孔３０ａ内にカバー部材２１ａが挿通され、突起４１が縦溝４３と嵌合する。そして、装飾部材２２ａを１段目に配置させる場合、突起４１を１段目の横溝４４ａに嵌合させ、さらに、突起４１を係止溝４５ａに嵌合させる。このようにして、装飾部材２２ａは、１段目に組み立てられる。
【００４４】
同様に、装飾部材２２ａを２段目に配置させる場合、突起４１を２段目の横溝４４ｂに嵌合させ、さらに、突起４１を係止溝４５ｂに嵌合させる。さらに、同様に、装飾部材２２ａを３段目に配置させる場合、突起４１を３段目の横溝４４ｃに嵌合させ、さらに、突起４１を係止溝４５ｃに嵌合させる。
【００４５】
上述のように、突起４１を所望の横溝４４ａ，４４ｂ，４４ｃ及び係止溝４５ａ，４５ｂ，４５ｃに嵌合させることで、装飾部材２２ａがカバー部材２１ａの所望の位置に組み立てられる。
【００４６】
この実施形態に係るカバーユニット２０ａによれば、装飾部材２２ａの孔３０ａにカバー部材２１ａを挿通させ、溝４２に突起４１を嵌合させるのみでカバーユニット２０ａを組み立てることができる。したがって、ネジ締め、接着剤の塗布等の工程が不要で組立工程数が少なく、作業性がよい。
【００４７】
また、ネジ等が不要で部品点数が少ないとともに、接着剤を使用しないので不良品発生率が低い。したがって、製造コストを低下させることができる。
【００４８】
さらに、装飾部材２２ａを構造的に支持することで落下を防止しているので、単に接着剤で接着している場合より安全性が高い。
【００４９】
また、３個の装飾部材２２ａは、全て同一形状に形成されているので、カバーユニット２０ａの製造コストを抑制することができる。さらに、３個の同一の装飾部材２２ａを用いるので、横溝４４ａ，４４ｂ，４４ｃの数を増加させることで、装飾部材２２ａの数を容易に増加させることができる。
【００５０】
なお、装飾部材２２ａは、単一又は所望の複数個、カバー部材２１ａに組み立てられる。
【００５１】
また、突起４１は、孔３０ａの軸方向にリブ状に設けられてもよい。
【００５２】
さらに、突起４１及び溝４２はそれぞれ、上述の実施形態では２個ずつ設けられているが、１個又は３個以上設けられてもよい。また、突起４１及び溝４２はそれぞれ、例えば周方向において等間隔に設けられる。
【００５３】
また、突起４１をカバー部材２１ａの外周面に設け、溝４２を装飾部材２２ａの孔３０ａの内周面に設けてもよい。この場合、係止溝４５ａ〜４５ｃは、横溝４４ａ，４４ｂ，４４ｃから上方に設けられる。
【図面の簡単な説明】
【００５４】
【図１】この発明の実施形態に係るカバーユニットを備えた照明器具の外観の構成を示す斜視図である。
【図２】前記照明器具の構成を示す分解斜視図である。
【図３】前記照明器具の正面の半断面図である。
【図４】カバー部材の正面の半断面図である。
【図５】装飾部材の正面の半断面図である。
【図６】前記カバーユニットの一使用態様を示す斜視図である。
【図７】他の実施形態に係るカバーユニットを構成する各部材を示す正面図であり、（ａ）は装飾部材を示し、（ｂ）はカバー部材を示す。
【図８】従来のカバーユニットを示す構成図であり、（ａ）は平面図であり、（ｂ）は正面の半断面図である。
【図９】従来の他のカバーユニットを示す構成図であり、（ａ）は平面図であり、（ｂ）は正面の半断面図である。
【符号の説明】
【００５５】
１０  照明器具
２０  カバーユニット
２１  カバー部材
２２〜２４  装飾部材
２６〜２９  段部
３０〜３２  孔
３３〜３５  境界部
Ｄ１〜Ｄ４  段部の水平方向の幅
【図１】
2006173008.tif 000003
【図２】
2006173008.tif 000004
【図３】
2006173008.tif 000005
【図４】
2006173008.tif 000006
【図５】
2006173008.tif 000007
【図６】
2006173008.tif 000008
【図７】
2006173008.tif 000009
【図８】
2006173008.tif 000010
【図９】
2006173008.tif 000011